【手続補正書】
【提出日】平成20年9月30日(2008.9.30)
【手続補正１】
【補正対象書類名】特許請求の範囲
【補正対象項目名】全文
【補正方法】変更
【補正の内容】
【特許請求の範囲】
【請求項１】
被写体の光を画像データに変換する第１の撮像素子と、
被写体の光を画像データに変換する第２の撮像素子と、
前記第１の撮像素子により変換された画像データと、前記第２の撮像素子により変換された画像データとが交互に出力されるように制御して、前記第１の撮像素子及び前記第２の撮像素子を駆動させることにより被写体の動画の撮像を行なう動画撮像制御手段と、
前記第１の撮像素子及び前記第２の撮像素子のうち、どちらか一方の撮像素子を用いて被写体の動画の撮像を制御するとともに、他方の撮像素子を用いて被写体に対してオートフォーカスを行なうように制御するフォーカス制御手段と、
を備え、
前記フォーカス制御手段は、
オートフォーカスに用いられる前記他方の撮像素子を、ＡＦ評価値の検出に適した露出制御による駆動と高速駆動とのうち、少なくとも一方で駆動させることを特徴とする撮像装置。
【請求項２】
前記高速駆動は、
画素加算駆動、１部読出し駆動のうち、少なくとも１つ以上の駆動を行なうことを特徴とする請求項１記載の撮像装置。
【請求項３】
前記高速駆動による駆動により前記他方の撮像素子から出力される画像データのフレームレートは、
前記動画撮像制御手段により得られる画像データのフレームレート以上、又は、前記フォーカス制御手段による制御により動画の撮像に用いられる前記一方の撮像素子から出力される画像データのフレームレート以上であることを特徴とする請求項１又は２記載の撮像装置。
【請求項４】
前記フォーカス制御手段によりオートフォーカスに用いられる前記他方の撮像素子に入射される被写体の光の光路長を変えていくことにより、各光路長における前記他方の撮像素子から出力される画像データに基づいてＡＦ評価値を検出し、該検出したＡＦ評価値の中でＡＦ評価値がピークとなる光路長となるように、前記第１又は／及び第２の撮像素子に入射される光の光路長を制御することにより、被写体に対してオートフォーカスを行なうコントラストＡＦ手段を備え、
前記フォーカス制御手段は、
前記一方の撮像素子を用いて被写体の動画の撮像を制御するとともに、前記他方の撮像素子をＡＦ処理に適した制御により駆動させた状態で、前記コントラストＡＦ手段にオートフォーカス動作を行なわせることを特徴とする請求項１乃至３の何れかに記載の撮像装置。
【請求項５】
前記第１の撮像素子及び前記第２の撮像素子のうち、どちらか一方の撮像素子を用いて被写体の動画の撮像を制御するとともに、他方の撮像素子を用いて被写体の静止画撮影を制御する静止画撮影制御手段と、
前記静止画撮影制御手段により前記他方の撮像素子から出力された画像データを記録手段に記録する第１の記録制御手段と、
を備えたことを特徴とする請求項１乃至４の何れかに記載の撮像装置。
【請求項６】
前記静止画撮影制御手段の制御により動画の撮像に用いられている前記一方の撮像素子から出力される画像データからスルー画像データ又は動画データを順次生成するとともに、その生成の合間に静止画撮影に用いられている前記他方の撮像素子から出力される画像データを分割して処理することにより静止画像データを生成する画像生成手段を備え、
前記第１の記録制御手段は、
前記画像生成手段により生成された静止画像データを前記記録手段に記録することを特徴とする請求項５記載の撮像装置。
【請求項７】
前記動画撮像制御手段、前記フォーカス制御手段、前記静止画撮影制御手段は、
動画の撮像に用いられる撮像素子をスルー画像表示に適した制御により駆動させることを特徴とする請求項５又は６記載の撮像装置。
【請求項８】
前記動画撮像制御手段による動画の撮像により得られる画像データ、又は／及び、前記フォーカス制御手段による動画の撮像に用いられている前記一方の撮像素子から出力される画像データ、又は／及び、前記静止画撮影制御手段により動画の撮像に用いられている前記一方の撮像素子から出力される画像データを表示手段に表示させる表示制御手段を備えたことを特徴とする請求項５乃至７の何れかに記載の撮像装置。
【請求項９】
前記動画撮像制御手段による動画の撮像により得られる画像データ、又は／及び、前記フォーカス制御手段による動画の撮像に用いられる前記一方の撮像素子から出力される画像データ、又は／及び、前記静止画撮影制御手段により動画の撮像に用いられる前記一方の撮像素子から出力される画像データを前記記録手段に記録する第２の記録制御手段を備えたことを特徴とする請求項５乃至８の何れかに記載の撮像装置。
【請求項１０】
半押し全押し可能なシャッタボタンと、
前記シャッタボタンが半押しされるまでは、前記動画撮像制御手段により前記第１の撮像素子及び前記第２の撮像素子を駆動させることにより被写体の動画の撮像を行なわせ、前記シャッタボタンが半押しされると、前記フォーカス制御手段により前記一方の撮像素子を用いて被写体の動画の撮像を制御するとともに、前記他方の撮像素子を用いて被写体に対してオートフォーカスを行なうように制御させ、前記シャッタボタンが全押しされると、前記一方の撮像素子を用いて被写体の動画の撮像を制御するとともに、前記他方の撮像素子を用いて被写体の静止画撮影を制御させるように制御する制御手段と、
を備えたことを特徴とする請求項１乃至９の何れかに記載の撮像装置。
【請求項１１】
被写体の光を画像データに変換する第１の撮像素子と、
被写体の光を画像データに変換する第２の撮像素子と、
前記第１の撮像素子を用いて被写体の動画の撮像を行なうとともに、前記第２の撮像素子を用いて被写体の静止画撮影を行なう静止画撮影制御手段と、
前記静止画撮影制御手段により前記第１の撮像素子から出力される画像データからスルー画像データ又は動画データを順次生成するとともに、その生成の合間に前記第２の撮像素子から出力される画像データを分割して処理することにより静止画像データを生成する画像生成手段と、
を備えたことを特徴とする撮像装置。
【請求項１２】
被写体の光を画像データに変換する第１の撮像素子と、
被写体の光を画像データに変換する第２の撮像素子と、
を備えた撮像装置を実行させるためのプログラムであって、
前記第１の撮像素子により変換された画像データと、前記第２の撮像素子により変換された画像データとが交互に出力されるように制御して、前記第１の撮像素子及び前記第２の撮像素子を駆動させることにより被写体の動画の撮像を行なう動画撮像処理と、
前記第１の撮像素子及び前記第２の撮像素子のうち、どちらか一方の撮像素子を用いて被写体の動画の撮像を制御するとともに、他方の撮像素子を用いて被写体に対してオートフォーカスを行なうように制御するフォーカス制御処理と、
を含み、
前記フォーカス制御処理は、
オートフォーカスに用いられる前記他方の撮像素子を、ＡＦ評価値の検出に適した露出制御による駆動と高速駆動とのうち、少なくとも一方で駆動させることを特徴とするプログラム。
【請求項１３】
被写体の光を画像データに変換する第１の撮像素子と、
被写体の光を画像データに変換する第２の撮像素子と、
を備えた撮像装置を実行させるためのプログラムであって、
前記第１の撮像素子を用いて被写体の動画の撮像を行なうとともに、前記第２の撮像素子を用いて被写体の静止画撮影を行なう静止画撮影処理と、
前記静止画撮影処理により前記第１の撮像素子から出力される画像データからスルー画像データ又は動画データを順次生成するとともに、その生成の合間に前記第２の撮像素子から出力される画像データを分割して処理することにより静止画像データを生成する画像生成処理と、
を含むことを特徴とするプログラム。
【手続補正２】
【補正対象書類名】明細書
【補正対象項目名】０００６
【補正方法】変更
【補正の内容】
【０００６】
上記目的達成のため、請求項１記載の発明による撮像装置は、被写体の光を画像データに変換する第１の撮像素子と、被写体の光を画像データに変換する第２の撮像素子と、前記第１の撮像素子により変換された画像データと、前記第２の撮像素子により変換された画像データとが交互に出力されるように制御して、前記第１の撮像素子及び前記第２の撮像素子を駆動させることにより被写体の動画の撮像を行なう動画撮像制御手段と、前記第１の撮像素子及び前記第２の撮像素子のうち、どちらか一方の撮像素子を用いて被写体の動画の撮像を制御するとともに、他方の撮像素子を用いて被写体に対してオートフォーカスを行なうように制御するフォーカス制御手段と、を備え、前記フォーカス制御手段は、オートフォーカスに用いられる前記他方の撮像素子を、ＡＦ評価値の検出に適した露出制御による駆動と高速駆動とのうち、少なくとも一方で駆動させることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
また、例えば、請求項２に記載されているように、前記高速駆動は、画素加算駆動、１部読出し駆動のうち、少なくとも１つ以上の駆動を行なうようにしてもよい。
【手続補正６】
【補正対象書類名】明細書
【補正対象項目名】００１０
【補正方法】変更
【補正の内容】
【００１０】
また、例えば、請求項３に記載されているように、前記高速駆動による駆動により前記他方の撮像素子から出力される画像データのフレームレートは、前記動画撮像制御手段により得られる画像データのフレームレート以上、又は、前記フォーカス制御手段による制御により動画の撮像に用いられる前記一方の撮像素子から出力される画像データのフレームレート以上であるようにしてもよい。
【手続補正７】
【補正対象書類名】明細書
【補正対象項目名】００１１
【補正方法】変更
【補正の内容】
【００１１】
また、例えば、請求項４に記載されているように、前記フォーカス制御手段によりオートフォーカスに用いられる前記他方の撮像素子に入射される被写体の光の光路長を変えていくことにより、各光路長における前記他方の撮像素子から出力される画像データに基づいてＡＦ評価値を検出し、該検出したＡＦ評価値の中でＡＦ評価値がピークとなる光路長となるように、前記第１又は／及び第２の撮像素子に入射される光の光路長を制御することにより、被写体に対してオートフォーカスを行なうコントラストＡＦ手段を備え、前記フォーカス制御手段は、前記一方の撮像素子を用いて被写体の動画の撮像を制御するとともに、前記他方の撮像素子をＡＦ処理に適した制御により駆動させた状態で、前記コントラストＡＦ手段にオートフォーカス動作を行なわせるようにしてもよい。
【手続補正８】
【補正対象書類名】明細書
【補正対象項目名】００１２
【補正方法】変更
【補正の内容】
【００１２】
また、例えば、請求項５に記載されているように、前記第１の撮像素子及び前記第２の撮像素子のうち、どちらか一方の撮像素子を用いて被写体の動画の撮像を制御するとともに、他方の撮像素子を用いて被写体の静止画撮影を制御する静止画撮影制御手段と、前記静止画撮影制御手段により前記他方の撮像素子から出力された画像データを記録手段に記録する第１の記録制御手段と、を備えるようにしてもよい。
【手続補正９】
【補正対象書類名】明細書
【補正対象項目名】００１３
【補正方法】変更
【補正の内容】
【００１３】
また、例えば、請求項６に記載されているように、前記静止画撮影制御手段の制御により動画の撮像に用いられている前記一方の撮像素子から出力される画像データからスルー画像データ又は動画データを順次生成するとともに、その生成の合間に静止画撮影に用いられている前記他方の撮像素子から出力される画像データを分割して処理することにより静止画像データを生成する画像生成手段を備え、前記第１の記録制御手段は、前記画像生成手段により生成された静止画像データを前記記録手段に記録するようにしてもよい。
【手続補正１０】
【補正対象書類名】明細書
【補正対象項目名】００１４
【補正方法】変更
【補正の内容】
【００１４】
また、例えば、請求項７に記載されているように、前記動画撮像制御手段、前記フォーカス制御手段、前記静止画撮影制御手段は、動画の撮像に用いられる撮像素子をスルー画像表示に適した制御により駆動させるようにしてもよい。
【手続補正１１】
【補正対象書類名】明細書
【補正対象項目名】００１５
【補正方法】変更
【補正の内容】
【００１５】
また、例えば、請求項８に記載されているように、前記動画撮像制御手段による動画の撮像により得られる画像データ、又は／及び、前記フォーカス制御手段による動画の撮像に用いられている前記一方の撮像素子から出力される画像データ、又は／及び、前記静止画撮影制御手段により動画の撮像に用いられている前記一方の撮像素子から出力される画像データを表示手段に表示させる表示制御手段を備えるようにしてもよい。
【手続補正１２】
【補正対象書類名】明細書
【補正対象項目名】００１６
【補正方法】変更
【補正の内容】
【００１６】
また、例えば、請求項９に記載されているように、前記動画撮像制御手段による動画の撮像により得られる画像データ、又は／及び、前記フォーカス制御手段による動画の撮像に用いられる前記一方の撮像素子から出力される画像データ、又は／及び、前記静止画撮影制御手段により動画の撮像に用いられる前記一方の撮像素子から出力される画像データを前記記録手段に記録する第２の記録制御手段を備えるようにしてもよい。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】変更
【補正の内容】
【００１９】
また、例えば、請求項１０に記載されているように、半押し全押し可能なシャッタボタンと、前記シャッタボタンが半押しされるまでは、前記動画撮像制御手段により前記第１の撮像素子及び前記第２の撮像素子を駆動させることにより被写体の動画の撮像を行なわせ、前記シャッタボタンが半押しされると、前記フォーカス制御手段により前記一方の撮像素子を用いて被写体の動画の撮像を制御するとともに、前記他方の撮像素子を用いて被写体に対してオートフォーカスを行なうように制御させ、前記シャッタボタンが全押しされると、前記一方の撮像素子を用いて被写体の動画の撮像を制御するとともに、前記他方の撮像素子を用いて被写体の静止画撮影を制御させるように制御する制御手段と、を備えるようにしてもよい。
【手続補正１６】
【補正対象書類名】明細書
【補正対象項目名】００２０
【補正方法】変更
【補正の内容】
【００２０】
上記目的達成のため、請求項１１記載の発明による撮像装置は、被写体の光を画像データに変換する第１の撮像素子と、被写体の光を画像データに変換する第２の撮像素子と、前記第１の撮像素子を用いて被写体の動画の撮像を行なうとともに、前記第２の撮像素子を用いて被写体の静止画撮影を行なう静止画撮影制御手段と、前記静止画撮影制御手段により前記第１の撮像素子から出力される画像データからスルー画像データ又は動画データを順次生成するとともに、その生成の合間に前記第２の撮像素子から出力される画像データを分割して処理することにより静止画像データを生成する画像生成手段と、を備えたことを特徴とする。
【手続補正１７】
【補正対象書類名】明細書
【補正対象項目名】００２１
【補正方法】変更
【補正の内容】
【００２１】
上記目的達成のため、請求項１２記載の発明によるプログラムは、被写体の光を画像データに変換する第１の撮像素子と、被写体の光を画像データに変換する第２の撮像素子と、
を備えた撮像装置を実行させるためのプログラムであって、前記第１の撮像素子により変換された画像データと、前記第２の撮像素子により変換された画像データとが交互に出力されるように制御して、前記第１の撮像素子及び前記第２の撮像素子を駆動させることにより被写体の動画の撮像を行なう動画撮像処理と、前記第１の撮像素子及び前記第２の撮像素子のうち、どちらか一方の撮像素子を用いて被写体の動画の撮像を制御するとともに、他方の撮像素子を用いて被写体に対してオートフォーカスを行なうように制御するフォーカス制御処理と、を含み、前記フォーカス制御処理は、オートフォーカスに用いられる前記他方の撮像素子を、ＡＦ評価値の検出に適した露出制御による駆動と高速駆動とのうち、少なくとも一方で駆動させることを特徴とする。
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】変更
【補正の内容】
【００２３】
上記目的達成のため、請求項１３記載の発明によるプログラムは、被写体の光を画像データに変換する第１の撮像素子と、被写体の光を画像データに変換する第２の撮像素子と、を備えた撮像装置を実行させるためのプログラムであって、前記第１の撮像素子を用いて被写体の動画の撮像を行なうとともに、前記第２の撮像素子を用いて被写体の静止画撮影を行なう静止画撮影処理と、前記静止画撮影処理により前記第１の撮像素子から出力される画像データからスルー画像データ又は動画データを順次生成するとともに、その生成の合間に前記第２の撮像素子から出力される画像データを分割して処理することにより静止画像データを生成する画像生成処理と、を含むことを特徴とする。
【手続補正２０】
【補正対象書類名】明細書
【補正対象項目名】００２４
【補正方法】変更
【補正の内容】
【００２４】
請求項１記載の発明によれば、ＡＦ処理中であっても被写体のスルー画像を表示することができ、また、フレームレートの高いスルー画像データや動画データを得ることができる。さらに、ＡＦ処理の精度やＡＦ評価値の検出の精度を上げることができ、ＡＦ処理時間を短縮することができる。
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】変更
【補正の内容】
【００２７】
請求項２記載の発明によれば、画像データの転送周期等を速くすることができ、ＡＦ処理時間を短縮することができる。
【手続補正２４】
【補正対象書類名】明細書
【補正対象項目名】００２８
【補正方法】変更
【補正の内容】
【００２８】
請求項３記載の発明によれば、スルー画像表示に用いられる画像データに基づいてＡＦ処理を行なう場合より、ＡＦ処理時間を短縮することができる。
【手続補正２５】
【補正対象書類名】明細書
【補正対象項目名】００２９
【補正方法】変更
【補正の内容】
【００２９】
請求項４記載の発明によれば、ＡＦ処理の精度を上げることができ、ＡＦ処理中であっても被写体のスルー画像を表示や動画撮影を行なうこととが可能となる。
【手続補正２６】
【補正対象書類名】明細書
【補正対象項目名】００３０
【補正方法】変更
【補正の内容】
【００３０】
請求項５記載の発明によれば、静止画撮影中に被写体のスルー画像を表示や動画撮影を行なうことができ、静止画撮影により得られた画像データを記録することができる。
【手続補正２７】
【補正対象書類名】明細書
【補正対象項目名】００３１
【補正方法】変更
【補正の内容】
【００３１】
請求項６記載の発明によれば、静止画撮影中に被写体のスルー画像を表示や動画撮影を行なうことができるとともに、静止画像データを記録することができる。
【手続補正２８】
【補正対象書類名】明細書
【補正対象項目名】００３２
【補正方法】変更
【補正の内容】
【００３２】
請求項７記載の発明によれば、スルー画像表示に適した画像データを得ることができる。
【手続補正２９】
【補正対象書類名】明細書
【補正対象項目名】００３３
【補正方法】変更
【補正の内容】
【００３３】
請求項８記載の発明によれば、被写体のスルー画像を表示させることができる。
【手続補正３０】
【補正対象書類名】明細書
【補正対象項目名】００３４
【補正方法】変更
【補正の内容】
【００３４】
請求項９記載の発明によれば、被写体の動画を記録することができる。
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】変更
【補正の内容】
【００３７】
請求項１０記載の発明によれば、シャッタボタンが半押しされると精度の高いオートフォーカスができるとともに被写体の動画も撮像することができ、シャッタボタンが全押しされると被写体の静止画撮影を行なうとともに被写体の動画を撮像することができ、シャッタボタン半押し及び全押しされていない場合には、フレームレートの高い動画を撮像することができる。
【手続補正３４】
【補正対象書類名】明細書
【補正対象項目名】００３８
【補正方法】変更
【補正の内容】
【００３８】
請求項１１記載の発明によれば、静止画撮影中に被写体のスルー画像を表示や動画撮影を行なうことができる。
【手続補正３５】
【補正対象書類名】明細書
【補正対象項目名】００３９
【補正方法】変更
【補正の内容】
【００３９】
請求項１２及び１３記載の発明によれば、デジタルカメラ、パソコン等に読み込ませることにより、本発明の撮像装置を実現することができる。
【手続補正３６】
【補正対象書類名】明細書
【補正対象項目名】００９４
【補正方法】変更
【補正の内容】
【００９４】
なお、この露光１と露光２の露光時間は同じであってもよいし、異なるようにしてもよい。
また、露光１の終了と同時に露光２を開始するようにしたが、露光１が終了する前に、露光２を開始させるようにしてもよい。つまり、ＣＣＤ９の露光とＣＣＤ１０との露光が重なるようにしてもよい。
また、全体の静止画露光時間を複数回に分けてＣＣＤ９とＣＣＤ１０とに露光行なわせるようにしてもよい。例えば、全体の静止画露光時間を４回に分ける場合は、まず、どちらか一方のＣＣＤに露光を行なわせ、その次に他方のＣＣＤに露光を行なわせる。そしてまた、一方のＣＣＤに露光を行なわせ、更に他方のＣＣＤに露光を行なわせるようにする。これにより、一回の露光時間が更に短くなるので、更に暗電流ノイズの発生を抑えることができる。この場合には、４枚の画像データが得られることとなる。